(57)【要約】【課題】操作がしやすく、かつ、撮影と無関係なモードで電源を立ち上げた場合にレンズバリアが開かれることを回避できるカメラを提供する。【解決手段】電源スイッチＳＷ１が電源オンに切り替わるとレンズバリア１３を開状態に移動させるとともに、電源スイッチＳＷ１が電源オフに切り替わるとレンズバリア１３を閉状態に移動させる連動機構１４と、電源スイッチＳＷ１が電源オフに切り替わり撮影レンズ１２を沈胴させる際に撮影レンズ１２を所定の沈胴位置に繰り込むとともにレンズバリア１３が閉じた後に撮影レンズ１２を所定の係止位置まで繰り出し、撮影モードでの電源スイッチＳＷ１の電源オン時、又は電源オン中の非撮影モードから撮影モードへのモード切り替え時には、係止位置の撮影レンズ１２を沈胴位置に繰り込むとともにレンズバリア１３が開いた後に撮影レンズ１２を撮影位置に繰り出すＣＰＵ３０とを備えた。【選択図】  図１
2004341089.tif 000002
【特許請求の範囲】
【請求項１】
沈胴可能な撮影レンズと、
カメラの電源オン及び電源オフを切り替える電源スイッチと、
前記撮影レンズを保護する閉状態と前記撮影レンズを露出させる開状態との間で移動するレンズバリアと、
前記電源スイッチが電源オンに切り替わると前記レンズバリアを開状態に移動させるとともに、前記電源スイッチが電源オフに切り替わると前記レンズバリアを閉状態に移動させる連動機構と、
被写体を撮影する撮影モード及び被写体の撮影と無関係な非撮影モードを切り替えるモード切替スイッチと、
前記電源スイッチが電源オフに切り替わり前記撮影レンズを沈胴させる際に該撮影レンズを所定の沈胴位置に繰り込むとともに前記レンズバリアが閉じた後に該レンズバリアが前記撮影レンズで係止されて開放されないように該撮影レンズを所定の係止位置まで繰り出し、撮影モードでの前記電源スイッチの電源オン時、又は電源オン中の非撮影モードから撮影モードへのモード切り替え時には、前記係止位置の撮影レンズを沈胴位置に繰り込むとともに前記レンズバリアが開いた後に該撮影レンズを所定の撮影位置に繰り出す制御手段と、
を備えたことを特徴とするカメラ。
【請求項２】
前記撮影モードは、被写体を撮像して得た画像データを所定の記録メディアに記録するモードであって、前記非撮影モードは、前記記録メディアに記録された画像データに基づいて画像を出力する画像再生モード、音声を集音して得た音声データを前記記録メディアに記録する録音モード、又は、前記記録メディアに記録された音声データに基づいて音声を出力する音声再生モードであることを特徴とする請求項１に記載のカメラ。
【請求項３】
前記連動機構は、支点を有し該支点に対して一端側で弾性部材を介して前記電源スイッチに係合するとともに他端側で前記レンズバリアに係合するレバーからなり、
前記レンズバリアが係止された状態で前記電源スイッチがスライド操作されると、前記弾性部材が収縮し、前記レンズバリアの係止が外された時に前記弾性部材が伸長して前記レンズバリアが開閉するようにしたことを特徴とする請求項１又は２に記載のカメラ。
【発明の詳細な説明】
【０００１】
【発明の属する技術分野】
本発明はカメラに係り、特に撮影レンズがレンズバリアで保護されるカメラに関する。
【０００２】
【従来の技術】
従来、レンズバリアの開放に連動させて撮影用の電源供給を開始して撮影モードに移行し、レンズバリアの閉成下で再生スイッチが押された時には再生用の電源供給を開始して再生モードに移行し、再生スイッチが再び押されたときに再生モードを解除するようにしたものが提案されていた（特許文献１参照）。
【０００３】
また、撮影モードと再生モードとの切り替えをレンズバリアの開閉に連動させるようにしたものも提案されていた（特許文献２参照）。
【０００４】
【特許文献１】
特開平９−１３５３７７号公報
【０００５】
【特許文献２】
特開平１０−５６５８９号公報
【０００６】
【発明が解決しようとする課題】
しかしながら、レンズバリアの開放に連動して撮影用の電源供給を開始して撮影モードに移行し、レンズバリアの閉成下で再生スイッチが押された時に再生用の電源供給を開始して再生モードに移行する構成では、電源供給が撮影用と再生用とで２系統になり回路構成が複雑になってしまうとともに、ユーザ操作が統一されず、混乱を招くことになる。
【０００７】
また、撮影モードと再生モードとの切り替えをレンズバリアの開閉に連動させる構成では、実際の撮影に先立って、電源スイッチをオンした後にレンズバリア開閉をしなければならず、２操作が必要となっていた。
【０００８】
本来、電源スイッチによるパワーオン時にレンズバリアが開くようにすれば、電源スイッチを操作するだけでレンズバリアが開き直ちに撮影に入ることができるので、操作性は良いのだが、このような構成では、再生モードでのパワーオン時にもレンズバリアが開かれてしまうことになり、再生画像を確認しているときに撮影レンズに手が触れてしまうなどの問題を生じてしまう。
【０００９】
本発明はこのような事情に鑑みてなされたもので、操作がしやすく、かつ、再生モード等の撮影に無関係なモードで電源を立ち上げた場合にレンズバリアが開かれることを回避できるカメラを提供することを目的とする。
【００１０】
【課題を解決するための手段】
前記目的を達成するために、請求項１に記載の発明は、沈胴可能な撮影レンズと、カメラの電源オン及び電源オフを切り替える電源スイッチと、前記撮影レンズを保護する閉状態と前記撮影レンズを露出させる開状態との間で移動するレンズバリアと、前記電源スイッチが電源オンに切り替わると前記レンズバリアを開状態に移動させるとともに、前記電源スイッチが電源オフに切り替わると前記レンズバリアを閉状態に移動させる連動機構と、被写体を撮影する撮影モード及び被写体の撮影と無関係な非撮影モードを切り替えるモード切替スイッチと、前記電源スイッチが電源オフに切り替わり前記撮影レンズを沈胴させる際に該撮影レンズを所定の沈胴位置に繰り込むとともに前記レンズバリアが閉じた後に該レンズバリアが前記撮影レンズで係止されて開放されないように該撮影レンズを所定の係止位置まで繰り出し、撮影モードでの前記電源スイッチの電源オン時、又は電源オン中の非撮影モードから撮影モードへのモード切り替え時には、前記係止位置の撮影レンズを沈胴位置に繰り込むとともに前記レンズバリアが開いた後に該撮影レンズを所定の撮影位置に繰り出す制御手段とを備えたことを特徴としている。
【００１１】
本発明によれば、撮影モードでは、電源スイッチの電源オンにより自動的にレンズバリアが開放されるとともに撮影レンズが撮影位置になって直ぐに撮影準備が整い、撮影に無関係なモードでは、電源スイッチの電源オン後に直ぐに動作を開始することができるので、操作がしやすく、かつ、レンズバリア駆動用のアクチュエータを必要とすることなく、撮影に無関係なモードで電源を立ち上げた場合のレンズバリアの開放が回避される。
【００１２】
また、請求項２に示されるように、前記撮影モードとしては、被写体を撮像して得た画像データを所定の記録メディアに記録するモードであって、前記非撮影モードは、前記記録メディアに記録された画像データに基づいて画像を出力する画像再生モード、音声を集音して得た音声データを前記記録メディアに記録する録音モード、又は、前記記録メディアに記録された音声データに基づいて音声を出力する音声再生モード等がある。
【００１３】
また、請求項３に記載の発明は、請求項１又は２に記載の発明において、前記連動機構は、支点を有し該支点に対して一端側で弾性部材を介して前記電源スイッチに係合するとともに他端側で前記レンズバリアに係合するレバーからなり、前記レンズバリアが係止された状態で前記電源スイッチがスライド操作されると前記弾性部材が収縮し、前記レンズバリアの係止が外された時に前記弾性部材が伸長して前記レンズバリアが開閉する構成となっている。
【００１４】
【発明の実施の形態】
以下添付図面に従って本発明に係るカメラの好ましい実施の形態について詳説する。
【００１５】
図１は本発明に係るカメラの一実施の形態の内部構成を示したブロック図である。
【００１６】
記録メディア２０は、被写体を撮像して得た画像データ及び音声データを記録するものである。例えば、カメラから取り外し可能なメモリカードを用いる。
【００１７】
電源スイッチＳＷ１は、カメラの電源１１のオンとオフとを切り替えるためのものである。
【００１８】
モード切替スイッチＳＷ２は、被写体を撮影するための撮影モードと、被写体の撮影と無関係な非撮影モードとを切り替えるものである。撮影モードでは、被写体を撮像して得た画像データが記録メディア２０に記録される。
【００１９】
モードダイヤルＳＷ３は、回動操作することにより、記録メディア２０に記録された画像データに基づいてＬＣＤモニタ２４又は出力端子２２から画像を出力する画像再生モード、マイク２８により音声を集音して得た音声データを記録メディア２０に記録する録音モード、記録メディア２０に記録された音声データに基づいてスピーカ２６に音声を出力する音声再生モード等、非撮影モードの詳細な選択が可能になっている。
【００２０】
また、モードダイヤルＳＷ３は、回動操作することにより、撮影モードの詳細な選択が可能になっている。例えば、静止画撮影モードと動画撮影モードとが切り替え可能である。また、マニュアル撮影モードとオート撮影モードとが切り替え可能であり、さらに、オート撮影モードでは、絞り優先撮影モードやシャッタースピード優先撮影モード等、ユーザが希望する露出制御を行うための詳細な選択が可能である。また、人物撮影モード、スポーツ撮影モード、風景撮影モード、夜景撮影モード等、ユーザが撮影する各場面に適した詳細な選択が可能である。
【００２１】
シャッターボタンＳＷ４は、半押しでオートフォーカスを指示操作するとともに、全押しで撮影を指示操作するものである。連写ボタンＳＷ５は、連続して複数コマを写すように指示操作するものである。
【００２２】
撮影レンズ１２は、被写体を撮影するためのレンズであり、沈胴可能になっている。
【００２３】
レンズバリア１３は、撮影レンズ１２を外界と遮断して保護する閉状態と、撮影レンズ１２を外界に露出させて撮影可能とする開状態との間で、スライドして移動するようになっている。また、レンズバリア１３は、撮影レンズ１２によって、開状態及び閉状態で係止可能になっている。
【００２４】
図２（ａ）は、電源オフ中、及び電源オン中の非撮影モードにおける、撮影レンズ１２及びレンズバリア１３の状態を示す。図２（ａ）に示す状態では、撮影レンズ１２が所定の係止位置まで繰り出されており、レンズバリア１３が図中の矢印で示す「開方向」に移動しないように、撮影レンズ１２がレンズバリア１３を係止している。図２（ｂ）は、撮影レンズ１２が所定の沈胴位置まで繰り込まれ、レンズバリア１３の係止が外されて、レンズバリア１３が「開方向」に移動した状態を示す。図２（ｃ）に示す状態では、レンズバリア１３が開状態となった後に、撮影レンズ１２が撮影位置まで繰り出されており、レンズバリア１３が閉まらないようにレンズバリア１３が撮影レンズ１２で係止されている。
【００２５】
連動機構１４は、電源スイッチＳＷ１が電源オンに切り替わるとレンズバリア１３を開状態に移動させ、電源スイッチＳＷ１が電源オフに切り替わるとレンズバリア１３を閉状態に移動させる。ただし、前述したように、レンズバリア１３が撮影レンズ１２により係止された状態では、電源スイッチＳＷ１がスライド操作されてもレンズバリア１３は開閉せず、レンズバリア１３の係止が外された時にレンズバリア１３が開閉する。
【００２６】
連動機構１４の具体例を図３（ａ）及び図４（ａ）に示す。図３（ａ）は電源オフ中であってレンズバリア１３が閉状態であるときの連動機構１４を示し、図４（ａ）は電源オン中であってレンズバリア１３が開状態であるときの連動機構１４を示す。連動機構１４は、支点１４１を有するレバー１４０からなり、一端側（力点側）で２つの押しバネ（第１バネ１４４及び第２バネ１４５）を介して電源スイッチＳＷ１に係合するとともに、他端側（作用点側）でレンズバリア１３に係合する。レバー１４０の作用点側には切り欠き部１４３が形成されており、レンズバリア１３の突起部１３１に設けられた作用点ピン１３２は切り欠き部１４３で摺動する。このような作用点ピン１３２の摺動により、レンズバリア１３が直線状にスライド移動する。また、レバー１４０の力点側に介装された第１バネ１４４及び第２バネ１４５は、断面がＥ字形状の支持体１４６で支持されている。支持体１４６は、電源スイッチＳＷ１がオンされると、図３（ａ）中の矢印で示す「電源オン方向」にスライドするとともに、電源スイッチＳＷ１がオフされると、図４（ａ）中の矢印で示す「電源オフ方向」にスライドする。尚、支持体１４６は、電源スイッチＳＷ１と一体に形成してもよく、また、電源スイッチＳＷ１とリンク部材を介して連結された構成としてもよい。第１バネ１４４は、レバー１４０を時計方向に回動させるように付勢し、第２バネ１４５は、レバー１４０を反時計方向に回動させるように付勢する。すなわち、第１バネ１４４は、レンズバリア１３が「開方向」に移動するように付勢し、第２バネ１４５は、レンズバリア１３が「閉方向」に移動するように付勢する構成となっている。
【００２７】
具体的には、第１バネ１４４は、一端が支持体１４６の第１当接部１４６ａに当接するとともに、他端がレバー１４０の力点ピン１４２及びストッパとなる支持体１４６の第２当接部１４６ｂの何れかに当接するようになっている。詳細には、図２（ａ）に示すようなレンズバリア１３が撮影レンズ１２で係止された状態では、電源スイッチＳＷ１がスライド操作されて支持体１４６が図３（ａ）中に示す「電源オン方向」にスライドすると、第１バネ１４４は、一端が支持体１４６の第１当接部１４６ａに当接するとともに他端がレバー１４０の力点ピン１４２に当接して、図３（ｂ）に示すように収縮した状態になる。そして、撮影レンズ１２が沈胴位置まで繰り込まれてレンズバリア１３の係止が外された時、第１バネ１４４がレバー１４０の力点ピン１４２を付勢しているので、レバー１４０が時計方向に回動し、レンズバリア１３が「開方向」に移動する。
【００２８】
また、第２バネ１４５は、一端が支持体１４６の第３当接部１４６ｃに当接するとともに、他端がレバー１４０の力点ピン１４２及びストッパとなる支持体１４６の第２当接部１４６ｂの何れかに当接するようになっている。詳細には、図２（ｃ）に示すようなレンズバリア１３が撮影レンズ１２で係止された状態では、電源スイッチＳＷ１がスライド操作されて支持体１４６が図４（ａ）に示す「電源オフ方向」にスライドすると、第２バネ１４５は、一端が支持体１４６の第３当接部１４６ｃに当接するとともに他端がレバー１４０の力点ピン１４２に当接して、図４（ｂ）に示すように収縮した状態になる。そして、撮影レンズ１２が沈胴位置まで繰り込んでレンズバリア１３の係止が外された時、第２バネ１４５がレバー１４０の力点ピン１４２を付勢しているので、レバー１４０が反時計方向に回動し、レンズバリア１３が「閉方向」に移動する。
【００２９】
図１の中央処理装置（ＣＰＵ）３０は、電源スイッチＳＷ１、モード切替スイッチＳＷ２、モードダイヤルＳＷ３、シャッターボタンＳＷ４、連写ボタンＳＷ５、その他操作スイッチＳＷｎからの入力に基づいてカメラの各回路を統括制御する。
【００３０】
また、ＣＰＵ３０は、撮影レンズ１２の伸縮とレンズバリア１３の係止を制御する。具体的には、電源オフ中、及び電源オン中の非撮影モードでは、図２（ａ）に示すように、撮影レンズ１２を係止位置に配置して、撮影レンズ１２によりレンズバリア１３を係止する。また、撮影モードでの電源スイッチの電源オン時、及び電源オン中の非撮影モードから撮影モードへのモード切り替え時には、図２（ｂ）に示すように、撮影レンズ１２を沈胴位置まで繰り込んで撮影レンズ１２によるレンズバリア１３の係止を外し、レンズバリア１３が開いた後に、図２（ｃ）に示すように、撮影レンズ１２を撮影位置まで繰り出す。ここで、ＣＰＵ３０は、撮影レンズ１２を繰り出す際には、ドライバ３２を介してモータ３４を正転させ、撮影レンズ１２を繰り込む際には、ドライバ３２を介してモータ３４を逆転させる信号を出力する。
【００３１】
図５乃至図７は、ＣＰＵ３０のカメラ制御を示すフローチャートである。
【００３２】
撮影レンズ１２が図２（ｃ）に示すように撮影位置に繰り出されていた場合には、電源スイッチＳＷ１が電源オフに切り替えられたとき、ＣＰＵ３０によって図５に示す処理が行われる。図５において、ＣＰＵ３０は、まず、撮影レンズ１２をレンズバリア１３が閉まる沈胴位置まで繰り込む（Ｓ１）。これにより、レンズバリア１３の係止が外される。尚、連動機構１４は、図４（ａ）に示す状態から、一旦、図４（ｂ）に示す状態となり、レンズバリア１３の係止が外された時、レンズバリア１３が「閉方向」に移動して図３（ａ）に示す状態になる。そして、レンズバリア１３が閉状態になった後に、撮影レンズ１２を図２（ａ）に示す係止位置まで繰り出し、レンズバリア１３が撮影レンズ１２で係止されて開放されないようにする（Ｓ２）。
【００３３】
電源スイッチＳＷ１が電源オンに切り替えられたときには、ＣＰＵ３０によって、図６に示す処理が行われる。図６において、ＣＰＵ３０は、まず、モード切替スイッチＳＷ２によるモード設定が、撮影モード及び非撮影モードの何れであるかを判定する（Ｓ１１）。撮影モードでの電源オン時には、図２（ａ）に示す係止位置の撮影レンズ１２を、沈胴位置まで繰り込む（Ｓ１２）。これにより、レンズバリア１３の係止が外される。尚、連動機構１４は、図３（ａ）に示す状態から、一旦、図３（ｂ）に示す状態になり、レンズバリア１３の係止が外された時、レンズバリア１３が「開方向」に移動して図４（ａ）に示す状態になる。また、撮影レンズ１２は、図２（ｂ）に示す状態になる。このようにレンズバリア１３が開いた後に、撮影レンズ１２を撮影位置まで繰り出す（Ｓ１３）。ここで、撮影レンズ１２は、図２（ｃ）に示す状態になる。そして、ユーザの操作に応じて、撮影動作を行う（Ｓ１４）。具体的には、シャッターボタンＳＷ４が半押しされると、ＣＰＵ３０はフォーカス制御を行い、シャッターボタンＳＷ４が全押しされると、ＣＰＵ３０は撮影処理を行う。即ち、ＣＰＵ３０は、露出制御を行い、撮影レンズ１２を介して被写体を固体撮像素子（ＣＣＤ）４４の受光面上に結像させ、撮影時に得られた画像データを記録メディア２０に記録させる。一方で、非撮影モードでの電源オン時には、ＣＰＵ３０は、撮影レンズ１２によるレンズバリア１３の係止を維持し、図２（ａ）に示すレンズバリア１３の閉状態が継続される。そして、モードダイヤルＳＷ３での設定に従って、画像再生、録音、音声再生等の動作を行う（Ｓ１５）。
【００３４】
また、電源オン中の非撮影モードでは、ＣＰＵ３０によって、図７に示す処理が行われる。図７において、ＣＰＵ３０は、まず、モード切替スイッチＳＷ２によって非撮影モードから撮影モードに切り替えられたか否かを判定する（Ｓ２１）。非撮影モードから撮影モードに切り替えられたときには、図２（ａ）に示すような係止位置の撮影レンズ１２を沈胴位置まで繰り込む（Ｓ２２）。これにより、レンズバリア１３の係止が外される。尚、連動機構１４は、図３（ｂ）に示す状態から、レンズバリア１３の係止が解除された時、レンズバリア１３が「開方向」に移動して図４（ａ）に示す状態になる。また、撮影レンズ１２は、図２（ｂ）に示す状態になる。このようにレンズバリア１３が開いた後に、撮影レンズ１２を撮影位置まで繰り出す（Ｓ２３）。ここで、撮影レンズ１２は、図２（ｃ）に示す状態になる。そして、ユーザの操作に応じて、撮影動作を行う（Ｓ２４）。一方で、非撮影モードの場合には、モードダイヤルＳＷ３での設定に従って、画像再生、録音、音声再生等の動作を行う（Ｓ２５）。
【００３５】
次に、撮影動作について詳細に説明する。
【００３６】
ＣＣＤ４４は、受光面に結像された被写体光をその光量に応じた量の信号電荷に変換する。このようにして蓄積された信号電荷は、その信号電荷に応じた電圧信号として順次読み出される。ＣＣＤ４４から読み出された電圧信号は、相関二重サンプリング回路（ＣＤＳ及びＡＭＰ）４６に加えられ、ここで各画素ごとのＲ、Ｇ、Ｂ信号がサンプリングホールドされるとともに増幅され、Ａ／Ｄ変換器４８に加えられる。Ａ／Ｄ変換器４８は、相関二重サンプリング回路４６から順次加えられるＲ、Ｇ、Ｂ信号を、デジタルのＲ、Ｇ、Ｂ信号に変換して、画像信号処理回路５０に出力する。
【００３７】
画像信号処理回路５０は、Ａ／Ｄ変換器４８から加えられる点順次のＲ、Ｇ、Ｂ信号を同時式に変換する同時化処理、ホワイトバランス調整、ガンマ補正、ＹＣ信号処理等の所定の画像処理を行う。この画像信号処理回路５０のＹＣ信号処理によって作成された輝度信号Ｙと色差信号Ｃｒ、Ｃｂ（ＹＣ信号）は、圧縮・伸長処理回路５２によって所定のフォーマットに圧縮されたのち、メディアコントロール回路５４を介して記録メディア２０に記録される。
【００３８】
尚、動画撮影モードの選択時には、マイク２８から入力された音声信号は、音声処理回路６０によりＡ／Ｄ変換等の処理が行われ、圧縮・伸長処理回路５２によって所定のフォーマットに圧縮された後、画像データと関連付けされて、メディアコントロール回路５４を介して記録メディア２０に記録される。
【００３９】
次に、画像再生動作について詳細に説明する。
【００４０】
まず、記録メディア２０に記録されている画像ファイルがメディアコントロール回路５４を介して読み出される。この読み出された画像ファイルの圧縮データは、圧縮・伸長処理回路５２を介して非圧縮のＹＣ信号に伸長される。伸長されたＹＣ信号は、画像再生処理回路５６及びＬＣＤドライブ回路５８を介して、ＬＣＤモニタ２４に出力される。これにより、ＬＣＤモニタ２４には記録メディア２０に記録されている画像が表示される。また、出力端子２２にＴＶモニタが接続されている場合、ＹＣ信号は、画像再生処理回路５６及びビデオエンコード回路５９を介してＮＴＳＣ方式のカラー複合映像信号に変換され、出力端子２２を介してＴＶモニタに出力される。これにより、ＴＶモニタには記録メディア２０に記録されている画像が表示される。
【００４１】
記録メディア２０から読み出した画像データに音声データが関連付けされている場合には、画像データに関連付けされて記録されていた音声データが記録メディア２０からメディアコントロール回路５４を介して読み出される。この圧縮して記録されていた音声データは、圧縮・伸長処理回路５２を介して非圧縮の音声信号に伸長される。伸長された音声データは、音声処理回路６０によりＤ／Ａ変換等の処理が行われる。変換された音声信号は、音声再生回路６２により増幅され、スピーカ２６から音声として出力される。
【００４２】
録音モードでは、マイク２８により集音がされ、マイク２８から出力された音声データは、音声処理回路６０によりＡ／Ｄ変換等の処理が行われ、圧縮・伸長処理回路５２により圧縮され、メディアコントロール回路５４により記録メディア２０に記録される。
【００４３】
音声再生モードでは、記録メディア２０に記録されていた音声データは、メディアコントロール回路５４を介して記録メディア２０から読み出され、圧縮・伸長処理回路５２により伸長され、音声処理回路６０によりＤ／Ａ変換等の処理が行われ、音声再生回路６２により増幅され、スピーカ２６から音声として出力される。
【００４４】
尚、音声の再生には、マイク２８で集音して記録メディア２０に記録された音声を再生する場合と、予め記録メディア２０に記録されていた音楽等の音声データを再生する場合がある。
【００４５】
以上説明した上記実施の形態に係るカメラによれば、撮影モードでは、電源スイッチの電源オンにより自動的にレンズバリアが開放されるとともに撮影レンズが撮影位置になって直ぐに撮影準備が整い、撮影に無関係なモードでは、電源スイッチの電源オン後に直ぐに動作を開始することができるので、操作がしやすく、かつ、撮影に無関係なモードで電源を立ち上げた場合のレンズバリアの開放が回避される。また、特別なレンズバリア駆動用のアクチュエータを必要とすることもない。
【００４６】
尚、前述の実施の形態では、モード切替スイッチＳＷ２で撮影モードと非撮影モードとを切り替え、モードダイヤルＳＷ３で画像再生モード、録音モード及び音声再生モードを選択する場合について説明したが、音声を取り扱わないカメラでは、撮影モードと画像再生モードとを直接切り替えるようにしてもよい。
【００４７】
【発明の効果】
以上説明したように本発明によれば、撮影モードでは、電源スイッチの電源オンにより自動的にレンズバリアが開放されるとともに直ぐに撮影準備が整い、撮影に無関係なモードでは、電源スイッチの電源オン後に直ぐに動作を開始することができるので、操作がしやすく、かつ、撮影に無関係なモードで電源を立ち上げた場合のレンズバリアの開放が回避される。
【図面の簡単な説明】
【図１】本発明が適用されたカメラの内部構成を示すブロック図
【図２】撮影レンズの繰り出し及び繰り込みとレンズバリアの係止及び係止解除との説明に供する図
【図３】電源スイッチとレンズバリアとの連動機構の具体例を示す図であって、レンズバリアが閉状態のときの連動機構を示す図
【図４】電源スイッチとレンズバリアとの連動機構の具体例を示す図であって、レンズバリアが開状態のときの連動機構を示す図
【図５】電源オフ時のカメラ制御処理の例を示すフローチャート
【図６】電源オン時のカメラ制御処理の例を示すフローチャート
【図７】再生中のカメラ制御処理の例を示すフローチャート
【符号の説明】
ＳＷ１…電源スイッチ、ＳＷ２…モード切替スイッチ、ＳＷ３…モードダイヤル、１２…撮影レンズ、１３…レンズバリア、１４…連動機構、２０…記録メディア、２４…ＬＣＤモニタ、２６…スピーカ、２８…マイク、３０…中央処理装置（ＣＰＵ）、３２…ドライバ、３４…モータ、１４０…レバー、１４１…支点、１４４及び１４５…押しバネ（弾性部材）
【図１】
2004341089.tif 000003
【図２】
2004341089.tif 000004
【図３】
2004341089.tif 000005
【図４】
2004341089.tif 000006
【図５】
2004341089.tif 000007
【図６】
2004341089.tif 000008
【図７】
2004341089.tif 000009